(57)【要約】【課題】比較的低い持ち上げ高さで表示装置を支持することができるスタンド、及び比較的低い持ち上げ高さで表示部をスタンドに支持することができる表示装置を提供する。【解決手段】前側に表示面を有する表示装置が起立状態で載置され、該表示装置の荷重を受ける荷重受体３１と、該荷重受体３１より上方へ延出されている二つの柱体３２，３２と、該柱体３２，３２の側面に取付けられ、且つ前記表示装置の後側の面に取付けられるべき取付具３３とを備え、表示装置を柱体３２の上端より上方に持ち上げることなく荷重受体３１に載置することができるようにした。【選択図】図１
2008299002.tif 000002
【特許請求の範囲】
【請求項１】
前側に表示面を有する表示装置を支持するスタンドにおいて、前記表示装置が起立状態で載置され、該表示装置の荷重を受ける荷重受体と、該荷重受体より上方へ延出されている柱体と、該柱体の側面及び前記表示装置の後側の面に取付けられるべき取付具とを備えることを特徴とするスタンド。
【請求項２】
前記荷重受体は、前記表示装置が載置される載置面より上方へ延出され、前記表示装置の下面が有する凹所に嵌入されるべき位置決め凸部を有する請求項１記載のスタンド。
【請求項３】
前記柱体及び取付具の少なくとも一方は、他方に係止されて前記取付具の位置ずれを防ぐ被係止部を有する請求項１又は２記載のスタンド。
【請求項４】
前側に表示面を有する表示部と、該表示部を起立状態で支持する請求項１から３のいずれか一つに記載のスタンドとを備えることを特徴とする表示装置。
【請求項５】
前記表示部の後側の面に上下端部に亘って取着され、且つ下端に前記凹所を有する補強桟を備える請求項４記載の表示装置。
【請求項６】
前記表示部の後上部は、該表示部が吊上げられる際に掛止される被掛止体の取着部を有する請求項４又は５記載の表示装置。
【請求項７】
前記表示部の後上部は、該表示部が吊上げられる際に掛止される被掛止体を、表示部から外部へ進出する位置及び後退する位置への移動を可能に取着してある請求項４又は５記載の表示装置。
【請求項８】
前記柱体の上部は、下方へ窪む凹所を有し、該凹所に嵌入されている位置決め凸部を前記表示部に設けてある請求項４から７のいずれか一つに記載の表示装置。
【発明の詳細な説明】
【技術分野】
【０００１】
本発明は液晶表示装置、プラズマ表示装置等の表示装置を支持するスタンド、及びスタンドを備える表示装置に関する。
【背景技術】
【０００２】
液晶テレビ等の薄型の表示装置は、前側に表示面を有する表示部と、該表示部の後側に複数本のボルトにより取着され、表示部を起立状態で支持したスタンドとを備えている。表示部の後側の面には上下端部に亘って補強桟が取着され、該補強桟の下部に、上下方向へ貫通する嵌入孔を有する取付具が取着されている。また、スタンドは、ベース部及び該ベース部から起立する柱体とを有し、該柱体の上端に、前記嵌入孔に嵌入される嵌入凸部が一体に設けられている（例えば、特許文献１、２参照）。
【０００３】
このように構成された表示装置は、載置台上に転倒して組立てられた表示部の取付具に、スタンドの嵌入凸部が嵌入された後、スタンドとともに表示部が起立されるか、又は、載置台上に転倒して組立てられた表示部を起立させ、さらにスタンドの嵌入凸部上端より上方へ持ち上げた状態で表示部の取付具の嵌入孔にスタンドの嵌入凸部が嵌入されることにより表示部がスタンドに支持される。
【特許文献１】特開２００５−１３４５９１号公報
【特許文献２】特開２００３−３４８４９４号公報
【発明の開示】
【発明が解決しようとする課題】
【０００４】
ところで、特許文献１、２のように構成された表示装置の表示部がスタンドに支持される場合、例えば、載置台上に転倒して組立てられた表示部の取付具にスタンドの嵌入凸部が嵌入され、取付けられた後、スタンドとともに表示部が起立されることにより、表示部がスタンドに支持されるか、又は、載置台上に転倒して組立てられた表示部を起立させ、さらに表示部をスタンドの嵌入凸部上端より上方へ持上げた状態で表示部の取付具の嵌入孔にスタンドの嵌入凸部が嵌入されることにより表示部がスタンドに支持される。
【０００５】
ところが、近年の表示装置は益々大形化され、重量が重くなっているため、比較的大型の表示装置にあっては、転倒されている表示部をスタンドとともに起立させる場合、起立支点から表示部上端までのスパンが比較的長くなり、起立作業時の危険性が高くなり、改善策が要望されていた。また、転倒されている表示部を起立させ、さらに持上げてスタンドに支持する場合、スタンドの嵌入凸部上端よりも上方へ表示部を持上げる必要があるため、持上げ高さが高くなり、スタンドへの支持作業時の危険性が高くなり、改善策が要望されていた。
【０００６】
本発明は斯かる事情に鑑みてなされたものであり、主たる目的は比較的低い持上げ高さで表示装置を支持することができるスタンド、及び比較的低い持上げ高さで表示部をスタンドに支持することができる表示装置を提供することにある。
【課題を解決するための手段】
【０００７】
本発明に係るスタンドは、前側に表示面を有する表示装置を支持するスタンドにおいて、前記表示装置が起立状態で載置され、該表示装置の荷重を受ける荷重受体と、該荷重受体より上方へ延出されている柱体と、該柱体の側面及び前記表示装置の後側の面に取付けられるべき取付具とを備えることを特徴とする。
【０００８】
この発明にあっては、柱体より下方に設けられている荷重受体に表示装置を載置することができるため、比較的低い持上げ高さで表示装置をスタンドに支持することができ、しかも、取付具を柱体の側方から該柱体の側面及び表示装置の後側の面に取付けることにより表示装置をスタンドに固定することができ、表示装置の起立状態を維持することができる。
【０００９】
また、本発明に係るスタンドは、表示装置が載置される載置面より上方へ延出され、前記表示装置の下面が有する凹所に嵌入されるべき位置決め凸部を荷重受体に設けてあるのが好ましい。
この発明にあっては、表示装置が荷重受体に載置された際、表示装置の下面の凹所に位置決め凸部が嵌入されるため、取付具が取付けられるまでの間に荷重受体上で表示装置が位置ずれするのを防ぐことができ、スタンドへの支持作業時の安全性を高めることができる。
【００１０】
また、本発明に係るスタンドは、前記柱体及び取付具の少なくとも一方に、他方に係止されて前記取付具の位置ずれを防ぐ被係止部を設けるのが好ましい。
この発明にあっては、取付具を柱体に仮止めすることができ、この仮止め状態で取付具を柱体又は表示装置に取付けることができるため、表示装置の固定作業性を高めることができる。
【００１１】
また、本発明に係る表示装置は、前側に表示面を有する表示部と、該表示部を起立状態で支持する前述の発明のスタンドとを備えることを特徴とする。
この発明にあっては、柱体より下方に設けられている荷重受体に表示部を載置することができるため、比較的低い持上げ高さで表示部をスタンドに支持することができ、しかも、取付具を柱体の側方から該柱体の側面及び表示部の後側の面に取付けることにより表示部をスタンドに固定することができ、表示部の起立状態を維持することができる。
【００１２】
また、本発明に係る表示装置は、前記表示部の後側の面に上下端部に亘って取着され、且つ下端に前記凹所を有する補強桟を備えるのが好ましい。
この発明にあっては、表示部を補強する補強桟の下端に凹所が設けられているため、凹所の剛性を高めることができ、表示部の荷重受体上での位置ずれ防止の安全性を高めることができる。
【００１３】
また、本発明に係る表示装置は、前記表示部の後上部に、該表示部が吊上げられる際に掛止される被掛止体の取着部を設けるのが好ましい。
この発明にあっては、取着部に被掛止体を取付けることにより、該被掛止体に吊上げ機のフックを掛止することができるため、表示部を吊上げ機により簡易に吊上げることができる。
【００１４】
また、本発明に係る表示装置は、前記表示部の後上部に、該表示部が吊上げられる際に掛止される被掛止体を、表示部から外部へ進出する位置及び後退する位置への移動を可能に取着するのが好ましい。
この発明にあっては、吊上げ機がある場所で表示部をスタンドに支持する際には、被掛止体を外部へ進出する位置へ移動させることにより、被掛止体に吊上げ機のフックを掛止して表示部を簡易に持上げることができ、また、吊上げ機を用いることなく表示部を持上げる際には、被掛止体を後退する位置に格納することができ、被掛止体が邪魔になるのを防ぐことができる。
【００１５】
また、本発明に係る表示装置は、前記柱体の上部に、下方へ窪む凹所を設け、該凹所に嵌入される位置決め凸部を表示部に設けるのが好ましい。
この発明にあっては、表示部が荷重受体に載置された際、表示部の下面の凹所に位置決め凸部が嵌入され、表示部の下面より上方の位置決め凸部が柱体の凹所に嵌入されるため、換言すると表示部の下側及び上側で該表示部の位置を決めることができるため、取付具が取付けられるまでの間の表示部の安定性を高めることができ、スタンドへの支持作業時の安全性をより一層高めることができる。
【発明の効果】
【００１６】
本発明によれば、柱体より下方に設けられている荷重受体に表示装置を載置することができるため、比較的低い持上げ高さで表示装置をスタンドに支持することができ、しかも、取付具を柱体の側方から該柱体の側面及び表示装置の後側の面に取付けることにより表示装置をスタンドに固定することができ、スタンドへの支持作業時の安全性を高めることができる。
【００１７】
また、本発明によれば、柱体より下方に設けられている荷重受体に表示部を載置することができるため、比較的低い持上げ高さで表示部をスタンドに支持することができ、しかも、取付具を柱体の側方から該柱体の側面及び表示部の後側の面に取付けることにより表示部をスタンドに固定することができ、表示部の起立状態を維持することができ、スタンドへの支持作業時の安全性を高めることができる。
【発明を実施するための最良の形態】
【００１８】
以下本発明をその実施の形態を示す図面に基づいて詳述する。
実施の形態１
図１は本発明に係る表示装置の実施の形態１の構成を示す斜視図、図２は表示装置の構成を示す概略断面図、図３は表示装置の構成を示す分解斜視図である。
図示した表示装置はテレビ画像を表示する表示面を前側に有し、略直方体をなす表示部１と、該表示部１の後側下部に取外し可能に取着され、表示部１を起立状態で支持するスタンド３とを備える薄型の液晶テレビジョンである。
【００１９】
表示部１は前側に表示面を有する液晶のパネルと、該パネルの後側に配置された光学シートと、バックライト部と、電源基板等のテレビ基板と、これらパネル等の部品を支持する支持体１１とを備えており、該支持体１１の後側の面にスタンド３が取着されている。
【００２０】
支持体１１は直方体をなす横長の枠部材１１ａと、周縁部が枠部材１１ａに結合され該枠部材１１ａの後側端を閉鎖する蓋板１１ｂと、該蓋板１１ｂの後側で長手方向の４箇所に配置され、上下端が枠部材１１ａ及び蓋板１１ｂに結合された補強桟１１ｃと、補強桟１１ｃの後側に取着された外板１１ｄとを有し、内側に前記バックライト部が支持され、開放側に前記パネル及び光学シートが支持され、後側の上部に被掛止体１２，１２ａが取着されている。
【００２１】
補強桟１１ｃは平面視略波形をなし、凹条及び凸条が連なる条体からなり、凹条の下端が、後記する位置決め凸部３４が嵌入される凹所１３になっている。また、両側の補強桟１１ｃ，１１ｃの下部に複数の螺子孔１１ｅが開設されている。
【００２２】
外板１１ｄは蓋板１１ｂとほぼ同形に形成され、蓋板１１ｂとの間の空間が空気通路になっており、表示部１の後側の面を構成している。また、外板１１ｄの下部で、補強桟１１ｃの両側部と対応する箇所には螺子孔１１ｅに対応する挿通孔１１ｆが開設されており、また、外板１１ｄの上部で、両側の補強桟１１ｃ，１１ｃと対応する箇所には被掛止体１２，１２ａ用のブラケット１４が複数本の雄螺子１５により取付けられている。
【００２３】
ブラケット１４は、平面視凹形をなし、両端縁にフランジを有するブラケット本体と、該ブラケット本体１４ａの内側に固定された補強体１４ｂとを有し、ブラケット本体１４ａの後壁に、後方へ開放された螺子孔１４ｃが開定され、補強体１４ｂに螺子孔１４ｄが開設され、螺子孔１４ｃ，１４ｄに被掛止体１２，１２ａとしてのアイボルトを螺着することができるように構成されている。尚、ブラケット１４が被掛止体１２，１２ａ用の取着部を構成している。
【００２４】
スタンド３は、表示部１が起立状態で載置される載置面を有し、表示部１の荷重を受ける荷重受体３１と、断面角形をなし、荷重受体３１の載置面より上方へ延出されている２本の柱体３２，３２と、該柱体３２，３２の側面に取付けられ、且つ前記表示部１の後側の面に取付けられるべき取付具３３とを備える。
【００２５】
荷重受体３１は、載置面３１ａを有し、平面視横長矩形をなす台板３１ｂと、該台板３１ｂの下面に垂設された脚体３１ｃと、平面視矩形をなし、脚体３１ｃの下端が結合されたベース部３１ｄとを有し、該ベース部３１ｄに複数のキャスタ３１ｅが取付けられている。台板３１ｂの載置面３１ａには横方向へ離隔した二つの位置から上方へ延出されたピン形状の位置決め凸部３４が一体に設けられている。位置決め凸部３４の先端は円錐台形に形成され、凹所１３に嵌入される際の案内面になっている。
【００２６】
柱体３２は、荷重受体３１の長手方向両側に立設されている基体３５と一体に形成され、複数の螺子孔３２ａが上下に離隔して開設されている。また、柱体３２の上端は面取りされている。
【００２７】
取付具３３は、平面視凹形をなす凹条部と、該凹条部の幅方向両側に連なるフランジとを有し、凹条部には螺子孔３２ａに対応する挿通孔３３ａが開設され、両側のフランジには螺子孔１１ｅに対応する挿通孔３３ｂが開設され、挿通孔３３ａから螺子孔３２ａに緊締する雄螺子３６により取付具３３を柱体３２に取付け、挿通孔３３ｂから螺子孔１１ｅに緊締する雄螺子３７により取付具３３を表示部１に取付けることができるように構成されている。また、取付具３３の凹条部は、対向する両側壁間の寸法を柱体３２の幅寸法より若干小さくし、凹条部が柱体３２の側面に嵌込まれるとき、両側壁が撓み、両側壁の弾性復元力で取付具３３の位置ずれを防ぐことができるように構成されている。尚、取付具３３の両側壁が被係止部を構成している。
【００２８】
以上のように構成された表示装置の表示部１は、表示面が下向きとなるように載置台上に転倒して組立てられ、外板１１ｄが上向きになっている。外板１１ｄに取着されたブラケット１４には、螺子孔１４ｃ，１４ｄにアイボルトからなる被掛止体１２，１２ａが螺着されている。従って、クレーン等の吊上げ機のフックを被掛止体１２に掛止し、表示部１の下端を支点として吊上げ機により表示部１を起立させ、この起立状態で前記フックを被掛止体１２ａに掛替え、吊上げ機により表示部１を荷重受体３１の高さより若干高い位置に吊上げ、荷重受体３１の上方へ横移動させた後、表示部１を荷重受体３１の載置面３１ａに降ろすことにより、補強桟１１ｃの下端の凹所１３に位置決め凸部３４が嵌入され、表示部１の前後方向及び側方への位置ずれを防ぐことができる。
【００２９】
この場合、表示部１は柱体３２より下方の荷重受体３１に載置されるため、表示部１の持上げ高さを比較的低くすることができ、安全性を高めることができる。また、荷重受体３１の載置面３１ａに載置された表示部１の前後方向及び側方への位置ずれを防ぐことができるため、スタンド３への支持作業時の安全性をより一層高めることができる。
【００３０】
以上のように表示部１が載置されている状態で、柱体３２の側方から柱体３２の側面に取付具３３が嵌め込まれ、該取付具３３が柱体３２に仮止めされる。
【００３１】
この取付具３３の仮止め状態で挿通孔３３ｂに挿通される雄螺子３７を、表示部１の外板１１ｄの挿通孔１１ｆを経て補強桟１１ｃの螺子孔１１ｅに緊締することにより、取付具３３を表示部１に取付けることができ、さらに、挿通孔３３ａに挿通される雄螺子３６を、柱体３２の螺子孔３２ａに緊締することにより、取付具３３を柱体３２に取付けることができ、表示部１をスタンド３に固定することができる。このように表示部１をスタンド３に支持した後、被掛止体１２，１２ａがブラケット１４から取外しされる。
【００３２】
実施の形態２
図４は表示装置のスタンド３の他の構成を示す斜視図である。この表示装置は、スタンド３の荷重受体３１の位置決め凸部３４を、横方向へ延出された凸条とし、凸条の位置決め凸部３４に対応する凹条の凹所１３を表示部１の下面に設けたものである。
【００３３】
この表示装置にあっては、位置決め凸部３４の剛性を高めることができる。
尚、実施の形態２において、位置決め凸部３４を表示部１の下面に設け、凹所１３を荷重受体３１に設ける構成としてもよい。
その他の構成及び作用は実施の形態１と同様であるため、同様の部品については同じ符号を付し、その詳細な説明及び作用効果の説明を省略する。
【００３４】
実施の形態３
図５は表示装置の他の構成を示す要部の斜視図、図６は要部の横断平面図である。この表示装置は、スタンド３の柱体３２に、両側方へ延出されたガイドピン３８を設け、該ガイドピン３８が挿嵌係止される鈎孔３９を取付具３３に設け、取付具３３の仮止め状態を維持することができるように構成し、さらに、表示部１の柱体３２に対する位置を決める位置決め具１６を表示部１の後側の面に装着したものである。
【００３５】
鈎孔３９は、横孔部３９ａ及び該横孔部３９ａに連なる縦孔部３９ｂを有する略Ｌ字形をなし、取付具３３の対向する二つの側壁からフランジにかけて開設されている。
【００３６】
位置決め具１６は平面視略コ字形をなし、対向する両側片間の距離を、柱体３２の幅寸法より若干短くし、柱体３２が位置決め具１６に嵌め込まれることにより、表示部１の前後方向及び側方への位置ずれを防ぐことができるように構成されている。
【００３７】
この表示装置にあっては、取付具３３の横孔部３９ａをガイドピン３８に挿嵌し、縦孔部３９ｂの位置で取付具３３を自重落下させることにより取付具３３をガイドピン３８で受止めることができ、この受止位置で仮止めすることができる。
その他の構成及び作用は実施の形態１と同様であるため、同様の部品については同じ符号を付し、その詳細な説明及び作用効果の説明を省略する。
【００３８】
実施の形態４
図７は表示装置の他の構成を示す要部の斜視図である。この表示装置は、柱体３２の上端に、下方へ窪む凹所３２ｂを設け、該凹所３２ｂに嵌入される位置決め凸部１７を表示部１のブラケット１４に設けたものである。
【００３９】
ブラケット１４は底壁を設けてあり、該底壁に位置決め凸部１７を下向きに突設してある。位置決め凸部１７の先端は円錐台形に形成され、凹所３２ｂに嵌入される際の案内面になっている。
【００４０】
この表示装置にあっては、表示部１が荷重受体３１の載置面３１ａに載置された際、位置決め凸部１７が柱体３２の凹所３２ｂに嵌入され、また、載置面３１ａ上の位置決め凸部３４が表示部１の下面の凹所１３に嵌入される。従って、表示部１の下側及び上側で該表示部１の位置を決めることができ、取付具３３が取付けられるまでの間の表示部１の安定性を高めることができる。尚、位置決め凸部１７は表示部１の上端部に設ける他、上下方向中間に設けてもよい。
その他の構成及び作用は実施の形態１と同様であるため、同様の部品については同じ符号を付し、その詳細な説明及び作用効果の説明を省略する。
【００４１】
実施の形態５
図８は表示装置の他の構成を示す要部の断面図である。この表示装置は、表示部１の外板１１ｄの上部に取着されるブラケット１８に、表示部１から外部へ進出する位置及び後退する位置への移動を可能に被掛止体１９を取着したものである。
【００４２】
ブラケット１８には上下に貫通する貫通孔１８ａが開設されている。被掛止体１９は環部１９ａと、該環部１９ａから径方向外方へ延出され、貫通孔１８ａに移動を可能に挿嵌されている軸部１９ｂと、該軸部１９ｂの先端部で大径となる抜止部１９ｃとを有する。
【００４３】
この表示装置にあっては、表示部１を吊上げ機で吊上げる際は、被掛止体１９を表示部１の外部へ進出する上方位置へ移動させることができ、表示部１を吊上げ機で吊り上げしない際はブラケット１８内へ後退する位置へ移動させることができる。従って、被掛止体１９を取外す必要がないし、また、被掛止体１９が邪魔になることもない。
その他の構成及び作用は実施の形態１と同様であるため、同様の部品については同じ符号を付し、その詳細な説明及び作用効果の説明を省略する。
【００４４】
実施の形態６
図９は表示装置の他の構成を示す要部の斜視図である。この表示装置は、表示部１の外板１１ｄの上部に取着されるブラケット２０に、表示部１から外部へ進出する位置及び後退する位置への移動（回動）を可能に被掛止体２１を枢支したものである。
【００４５】
ブラケット２０には対向する二つの位置に軸孔２０ａ，２０ａが開設されている。被掛止体２１は略Ｕ時形をなす湾曲部、及び湾曲部の両端に結合された軸部を有し、該軸部が軸孔２０ａ，２０ａに枢支されている。
【００４６】
この表示装置にあっては、表示部１を吊上げ機で吊上げる際は、被掛止体２１を表示部１の外部へ進出する上方位置へ回動させることができ、表示部１を吊上げ機で吊り上げしない際はブラケット２０内へ後退する位置へ回動させることができる。従って、被掛止体２１を取外す必要がないし、また、被掛止体２１が邪魔になることもない。
その他の構成及び作用は実施の形態１、３と同様であるため、同様の部品については同じ符号を付し、その詳細な説明及び作用効果の説明を省略する。
【００４７】
尚、以上説明した実施の形態では、表示部１が補強桟１１ｃ、及び外板１１ｄを有する構成としたが、その他、外板１１ｄをなくした構成、又は補強桟１１ｃ及び外板１１ｄをなくした構成としてもよい。
【００４８】
また、以上説明した実施の形態では荷重受体３１を、一つの台板３１ｂが載置面３１ａを有する構成としたが、その他、横方向に離隔する複数の台板３１ｂが載置面３１ａを有する構成としてもよい。また、横方向に離隔して二つの柱体３２，３２を備える構成としたが、その他、柱体３２は例えば中央部に一つ備える構成としてもよく、荷重受体３１及び柱体３２の構成は特に制限されない。
【００４９】
また、本発明に係る表示装置は液晶テレビジョン等の液晶表示装置である他、プラズマ表示装置、ＥＬディスプレイ等の表示装置であってもよい。
【図面の簡単な説明】
【００５０】
【図１】本発明に係る表示装置の実施の形態１の構成を示す斜視図である。
【図２】本発明に係る表示装置の構成を示す概略断面図である。
【図３】本発明に係る表示装置の構成を示す分解斜視図である。
【図４】本発明に係る表示装置のスタンドの他の構成を示す斜視図である。
【図５】本発明に係る表示装置の他の構成を示す要部の斜視図である。
【図６】本発明に係る表示装置の要部の横断平面図である。
【図７】本発明に係る表示装置の他の構成を示す要部の斜視図である。
【図８】本発明に係る表示装置の他の構成を示す要部の断面図である。
【図９】本発明に係る表示装置の他の構成を示す要部の斜視図である。
【符号の説明】
【００５１】
１    表示部
１１ｃ  補強桟
１２，１２ａ  被掛止体
１３  凹所
３    スタンド
３１  荷重受体
３１ａ  載置面
３２  柱体
３２ｂ  凹所
３３  取付具
３４  位置決め凸部
【図１】
2008299002.tif 000003
【図２】
2008299002.tif 000004
【図３】
2008299002.tif 000005
【図４】
2008299002.tif 000006
【図５】
2008299002.tif 000007
【図６】
2008299002.tif 000008
【図７】
2008299002.tif 000009
【図８】
2008299002.tif 000010
【図９】
2008299002.tif 000011